【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
所定の撮像フレームレートに従って被写体を順次撮像し、画像データを出力する撮像手段と、
前記撮像手段から前記撮像フレームレートで出力される画像データを、該撮像フレームレートよりも低い表示フレームレートで表示手段に表示させる第１の被写体像表示処理を実行する第１の表示制御手段と、
この第１の表示制御手段により前記第１の被写体像表示処理が実行されている状態における記録指示操作に応答して、前記表示手段に表示されている被写体像に対応する画像データを記録手段に記録させる記録制御手段と
を備えることを特徴とする撮像装置。
【請求項２】
前記撮像手段から前記撮像フレームレートで出力される画像データを、該撮像フレームレートと同じ表示フレームレートで前記表示手段に表示させる第２の被写体像表示処理を実行する第２の表示制御手段と、
前記第２の表示制御手段により前記第２の被写体像表示処理が実行されている状態における第１の指示操作に応答して、前記第２の表示制御手段による第２の被写体像表示処理から、前記第１の表示制御手段による第１の被写体像表示処理に切り替える第１の表示切替手段とを備えたことを特徴とする請求項１記載の撮像装置。
【請求項３】
前記第１の表示制御手段により前記第１の被写体像表示処理が実行されている状態における所定時間の経過に応答して、前記第１の表示制御手段による前記第１の被写体像表示処理から、前記第２の表示制御手段による第２の被写体像表示処理に切り替える第２の表示切替手段を備えたことを特徴とする請求項２記載の撮像装置。
【請求項４】
前記所定時間の残存時間に係る情報を報知する報知手段を備えることを特徴とする請求項３記載の撮像装置。
【請求項５】
前記撮像手段から前記撮像フレームレートで出力される画像データを順次記憶する記憶手段を備え、
前記第１の表示制御手段は、
前記記憶手段から前記撮像フレームレートよりも低い表示フレームレートで画像データを順次読み出し、該読み出した画像データを前記表示手段に表示させる第１の被写体像表示処理を実行することを特徴とする請求項１乃至４のいずれかに記載の撮像装置。
【請求項６】
前記第１の表示制御手段により前記第１の被写体像表示処理が実行された画像データ以外の前記記憶手段に記憶されている未表示画像データを、前記撮像フレームレートよりも高いフレームレートで前記表示手段に表示させる第３の被写体像表示処理を実行する第３の表示制御手段を備えることを特徴とする請求項５記載の撮像装置。
【請求項７】
表示手段と、所定の撮像フレームレートに従って被写体を順次撮像し、画像データを出力する撮像手段とを備える撮像装置が有するコンピュータを、
前記撮像手段から前記撮像フレームレートで出力される画像データを、該撮像フレームレートよりも低い表示フレームレートで前記表示手段に表示させる被写体像表示処理を実行する表示制御手段と、
この表示制御手段により前記被写体像表示処理が実行されている状態における記録指示操作に応答して、前記表示手段に表示されている被写体像に対応する画像データを記録手段に記録させる記録制御手段と
して機能させることを特徴とする撮像制御プログラム。
【請求項８】
所定の撮像フレームレートに従って被写体を順次撮像し、画像データを出力する撮像ステップと、
前記撮像ステップにより前記撮像フレームレートで出力される画像データを、該撮像フレームレートよりも低い表示フレームレートで表示手段に表示させる被写体像表示処理を実行する表示制御ステップと、
この表示制御ステップにより前記被写体像表示処理が実行されている状態における記録指示操作に応答して、表示手段に表示されている被写体像に対応する画像データを記録手段に記録させる記録制御ステップと
を含むことを特徴とする撮像制御方法。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
また、請求項２記載の発明に係る撮像装置にあっては、前記撮像手段から前記撮像フレームレートで出力される画像データを、該撮像フレームレートと同じ表示フレームレートで前記表示手段に表示させる第２の被写体像表示処理を実行する第２の表示制御手段と、前記第２の表示制御手段により前記第２の被写体像表示処理が実行されている状態における第１の指示操作に応答して、前記第２の表示制御手段による第２の被写体像表示処理から、前記第１の表示制御手段による第１の被写体像表示処理に切り替える第１の表示切替手段とを備えたことを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、請求項３記載の発明に係る撮像装置にあっては、前記第１の表示制御手段により前記第１の被写体像表示処理が実行されている状態における所定時間の経過に応答して、前記第１の表示制御手段による前記第１の被写体像表示処理から、前記第２の表示制御手段による第２の被写体像表示処理に切り替える第２の表示切替手段を備えたことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
また、請求項４記載の発明に係る撮像装置にあっては、前記所定時間の残存時間に係る情報を報知する報知手段を備えることを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
また、請求項５記載の発明に係る撮像装置にあっては、前記撮像手段から前記撮像フレームレートで出力される画像データを順次記憶する記憶手段を備え、前記第１の表示制御手段は、前記記憶手段から前記撮像フレームレートよりも低い表示フレームレートで画像データを順次読み出し、該読み出した画像データを前記表示手段に表示させる第１の被写体像表示処理を実行することを特徴とする。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
また、請求項６記載の発明に係る撮像装置にあっては、前記第１の表示制御手段により前記第１の被写体像表示処理が実行された画像データ以外の前記記憶手段に記憶されている未表示画像データを、前記撮像フレームレートよりも高いフレームレートで前記表示手段に表示させる第３の被写体像表示処理を実行する第３の表示制御手段を備えることを特徴とする。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
また、請求項７記載の発明に係る撮像制御プログラムにあっては、表示手段と、所定の撮像フレームレートに従って被写体を順次撮像し、画像データを出力する撮像手段とを備える撮像装置が有するコンピュータを、前記撮像手段から前記撮像フレームレートで出力される画像データを、該撮像フレームレートよりも低い表示フレームレートで前記表示手段に表示させる被写体像表示処理を実行する表示制御手段と、この表示制御手段により前記被写体像表示処理が実行されている状態における記録指示操作に応答して、前記表示手段に表示されている被写体像に対応する画像データを記録手段に記録させる記録制御手段として機能させることを特徴とする。
【手続補正１８】
【補正対象書類名】明細書
【補正対象項目名】００２２
【補正方法】変更
【補正の内容】
【００２２】
また、請求項８記載の発明に係る撮像制御方法にあっては、所定の撮像フレームレートに従って被写体を順次撮像し、画像データを出力する撮像ステップと、前記撮像ステップにより前記撮像フレームレートで出力される画像データを、該撮像フレームレートよりも低い表示フレームレートで表示手段に表示させる被写体像表示処理を実行する表示制御ステップと、この表示制御ステップにより前記被写体像表示処理が実行されている状態における記録指示操作に応答して、表示手段に表示されている被写体像に対応する画像データを記録手段に記録させる記録制御ステップとを含むことを特徴とする。